(57)【要約】      （修正有）【課題】ナスカンの本体部、台部、及びフック部を別部材で構成することで、夫々の部材のデザイン性を高めることができるとともに、コストも抑えることができるナスカンを提供する。【解決手段】本考案に係るナスカンは、本体部１と本体部の上部にカバンなどに取り付ける取付け部２と取付け部の下方の本体部の一端に突出する台部１０と、本体部の他端には小物などを引っ掛ける一端側に向かって湾曲するフック部２０と台部の側面に形成された支持孔１１に回動可能に係止され、バネの力でフック部に当接するバネ部とを備えるナスカンであって、本体部の一端及び他端に２か所の凹部３が設けられ、台部及びフック部は凹部に対応する凸部１２、２１を有し、本体部と台部及びフック部とが嵌合して構成されている。【選択図】図２
0003223965.tif 000002
【実用新案登録請求の範囲】
【請求項１】
本体部と、前記本体部の上部にカバンなどに取り付ける取付け部と、前記取付け部の下方の前記本体部の一端に突出する台部と、前記本体部の他端には小物などを引っ掛ける前記一端側に向かって湾曲するフック部と、前記台部の側面に形成された支持孔に回動可能に係止され、バネの力で前記フック部に当接するバネ部とを備えるナスカンであって、
前記本体部の一端及び他端に２か所の凹が設けられ、前記台部及び前記フック部は前記凹部に対応する凸部を有し、
前記本体部と前記台部及び前記フック部とが嵌合して構成されることを特徴とするナスカン。
【請求項２】
前記凹及び前記凸部が多角形に形成され、互いに嵌合するように構成されていることを特徴とする請求項１に記載のナスカン。
【請求項３】
前記凹及び前記凸部が四角形に形成され、互いに嵌合するように構成されていることを特徴とする請求項１又は２に記載のナスカン。
【請求項４】
前記凹部が嵌合孔であることを特徴とする請求項１乃至３いずれか１項に記載のナスカン。
【請求項５】
前記凸部が前記凹部に固定されていることを特徴とする請求項１乃至４いずれか１項に記載のナスカン。
【考案の詳細な説明】
【技術分野】
【０００１】
本考案は、カバンやランドセルなどに取り付けて、小物などを引っ掛けて持ち運びすることができるナスカンに関するものである。
【背景技術】
【０００２】
ナスカンは、上履きや、小物などを吊り下げるためにランドセルの側面等に取り付けられている。例えば、特許文献１には、リング状のベースと、そのベースの中央部に上下に渡される縦桟と、ベースの下端から前方に立ち上がり、先端が上を向いているフックとを備えたフレームと、縦桟の上部近辺から前向きに突出する突出片の側面に回動自在に挿入した略クリップ状のバネ片とからなるナスカンが記載されている。
【０００３】
例えば、特許文献２には、ランドセルを美しくかわいく見せるために、ナスカンにハート形やダイヤ型の模様を施した装飾保護板をナスカンの背面部に取り付けたナスカン具が記載されている。
【先行技術文献】
【特許文献】
【０００４】
【特許文献１】特開２０１１−２５０８６６号公報
【特許文献２】実用新案登録第３１６６２４９号公報
【考案の概要】
【考案が解決しようとする課題】
【０００５】
特許文献１に記載のナスカンは、軽量化及び一体成型によるコストダウンを成すために、リング状のベースを用いている。しかし、一体成型と軽量化を成すためには、ベースをリング状にすることが必須条件となり、デザイン性が非常に限定されるという問題点があった。
【０００６】
特許文献２に記載のナスカンは、ナスカンに装飾部を取り付け、デザイン性を高めている。しかし、ナスカンとは別部材である装飾部を設けることで重量アップとコストアップにつながってしまうという問題点があった。
【０００７】
本考案は、上記問題点に鑑みてなされたものであり、ナスカンの本体部、台部、及びフック部を別部材で構成することで、夫々の部材のデザイン性を高めることができるとともに、コストも抑えることができるナスカンを提供することを目的とする。
【課題を解決するための手段】
【０００８】
即ち、本考案は以下の考案を含む。
【０００９】
請求項１に記載の考案に係るナスカンは、本体部と、本体部の上部にカバンなどに取り付ける取付け部と、取付け部の下方の本体部の一端に突出する台部と、本体部の他端には小物などを引っ掛ける一端側に向かって湾曲するフック部と、台部の側面に形成された支持孔に回動可能に係止され、バネの力でフック部に当接するバネ部とを備えるナスカンであって、本体部の一端及び他端に２か所の凹が設けられ、台部及びフック部は凹部に対応する凸部を有し、本体部と台部及びフック部とが嵌合して構成されることを特徴とする。
【００１０】
請求項２に記載の考案に係るナスカンは、凹及び凸部が多角形に形成され、互いに嵌合するように構成されていることを特徴とする請求項１に記載のナスカンである。
【００１１】
請求項３に記載の考案に係るナスカンは、凹及び凸部が四角形に形成され、互いに嵌合するように構成されていることを特徴とする請求項１又は２に記載のナスカンである。
【００１２】
請求項４に記載の考案に係るナスカンは、凹部が嵌合孔であることを特徴とする請求項１乃至３いずれか１項に記載のナスカンである。
【００１３】
請求項５に記載の考案に係るナスカンは、凸部が凹部に固定されていることを特徴とする請求項１乃至４いずれか１項に記載のナスカンである。
【考案の効果】
【００１４】
請求項１に記載の考案に係るナスカンは、本体部と、台部と、フック部とが異なる部材で構成されていることから、各部材のデザイン性を高めることができる。また、デザインの異なる本体部、台部、フック部を様々な組み合わせで構成することができるので、デザイン性の自由度も広がるとともにコストも抑えることができる。
【００１５】
請求項２に記載の考案に係るナスカンは、凹部及び凸部を多角形に構成することにより、台部とフック部に力が加わることによる回転を防止することができる。
【００１６】
請求項３に記載の考案に係るナスカンは、凹部及び凸部を四角形に構成することにより、台部とフック部に力が加わることによる回転を防止することができる。さらに、凹部及び凸部を四角形に形成することが容易なため製造コストを抑えることができる。
【００１７】
請求項４及び５に記載の考案に係るナスカンは、台部及びフック部を確実に固定することができる。
【図面の簡単な説明】
【００１８】
【図１】図１は本考案が適用されたナスカンの正面側斜視図である。
【図２】図２は本考案が適用されたナスカンの本体部、台部、フック部を表した正面側斜視図である。
【考案を実施するための形態】
【００１９】
以下、本考案に係るナスカンに関する実施形態を図１及び図２に基づいて説明する。ただし、本考案は、以下に説明する実施形態や図面に記載される構成に限定されることを意図しない。
【００２０】
図１は本考案が適用されたナスカン１００の正面側斜視図である。図２は本考案が適用されたナスカン１００の本体部１、台部１０、フック部２０を表した正面側斜視図である。ナスカン１００は、装飾を施された本体部１と、本体部の上部にナスカンをカバンなどに取り付ける取付け部２と、取付け部２の下方の本体部１の一端に突出する台部１０と、本体部の他端には台部１０側に向かって湾曲するフック部２０と、台部の側面に形成された支持孔１１（１１ａ，１１ｂ）に回動可能に係止され、バネの力でフック部２０に当接するバネ部３０とから構成されている。
【００２１】
本発明のナスカン１００は、取付け部２が上方で、フック部２０が正面下方となるように、カバンなどに取り付けられ、小物をフック部２０と当接しているバネ部３０との間に引っ掛けて持ち運べるようになっている。
【００２２】
本体部１は、図２に示すように台部１０と、フック部２０とを固定するための凹部３（３ａ，３ｂ）を備えている。二つの凹部３（３ａ，３ｂ）の形状は、同じであっても異なる形状であってもよい。本体部１には、台部１０とフック部２０とを固定するための凹部３（３ａ，３ｂ）の２か所が設けられているが、本体部１の正面から裏面までを貫通する嵌合孔であってもよい。
【００２３】
図２には、本体部１は円形に構成されたものを示しているが、本体部１は台部１０及びフック部２０が固定できればよく、例えば、大小の円形、ひし形、三角形、ダイヤ形、星形、ハート形などいずれの形状であってもよい。これにより、様々な形状の本体部１を形成することができる。また、本考案のナスカンは、凹部３の形状を統一することにより、様々な形状の台部１０とフック部２０とを組み合わせて構成することができデザインの自由度が高くなる。
【００２４】
台部１０には、本体部１の上方の凹部３aの形状に対応する凸部１２が台部１０の下部に形成されている。台部１０は、凸部１２を本体部１の凹部３aに嵌合させることにより、固定される。
【００２５】
本体部１の凹部３aと台部１０の凸部１２の形状は、互いに嵌合する多角形であることが好ましい。これにより、台部１０に力が加わっても台部１０が本体部１に対して回転することを防止することができる。本体部１の凹部３aと台部１０の凸部１２の形状は、互いに嵌合する四角形であることがさらに好ましい。凹部３a及び凸部１２を四角形に形成することが容易なため製造コストを抑えることができる。
【００２６】
本体部１と台部１０は、溶接や接着剤などで固定してもよい。本体部１の凹部が嵌合孔の場合、台部１０の凸部１２を嵌合孔より少し長く形成し、裏面から凸部１２を圧接することもできる。
【００２７】
台部１０には、バネ部３０を取り付けるための支持孔１１（１１ａ，１１ｂ）が設けられている。二つの支持孔１１ａ，１１ｂは一方の支持孔１１ａが他方の支持孔１１ｂより上方になるように位置をずらして形成されている。
【００２８】
フック部２０には、本体部１の下方の凹部３ｂの形状に対応する凸部２１がフック部２０の下部に形成されている。フック部２０は、凸部２１を本体部１の凹部３ｂに嵌合させることにより、固定される。
【００２９】
本体部１の凹部３ｂとフック部２０の凸部２１の形状は、互いに嵌合する多角形であることが好ましい。これにより、フック部２０に力が加わってもフック部２０が本体部１に対して回転することを防止することができる。本体部１の凹部３ｂとフック部２０の凸部２１の形状は、互いに嵌合する四角形であることがさらに好ましい。凹部３ｂ及び凸部２１を四角形に形成することが容易なため製造コストを抑えることができる。
【００３０】
本体部１とフック部２０は、溶接や接着剤などで固定してもよい。本体部１の凹部が嵌合孔の場合、フック部２０の凸部２１を嵌合孔より少し長く形成し、裏面から凸部２１を圧接することもできる。
【００３１】
バネ部３０は、金属線を全体がＵ字の枠状となるように形成されており、上端はそれぞれ内向きに折り曲げられて、支持部３１ａ，３１ｂが形成されている。支持部３１ａは、他方の支持部３１ｂより少し上方に突出して形成されている。支持部３１ａは、台部１０の側面に形成された支持孔１１の内、台部１０の上方に形成された支持孔１１ａに挿入し、支持部３１ｂは支持孔１１ｂに挿入する。
【００３２】
バネ部３０は、捻じれが生じていない状態でフック部２０の湾曲した内側に当接するように構成する。バネ部３０を支持部３１ａ，３１ｂを軸として本体部側に回動させると、支持部３１ａ，３１ｂに捻じれが生じ、その捻じれの反力により正面方向に戻ろうとする付勢力が生じる。その付勢力によりバネ部３０の下端がフック部２０の湾曲部２２内側に当接させ、フック部２０の上部を閉じた状態にすることができる。これにより、小物などをフック部２０の湾曲部２２に引っ掛けて取り付けることができる。
【００３３】
図１に示すバネ部３０は、金属線を全体がＵ字の枠状となるように形成した形状となっているが、フック部２０の湾曲部２２に当接し、フック部２０の上部を閉じた状態にできる物であれば、いずれの形態であってもよい。
【００３４】
バネ部３０が、回動しやすくするために、本体部１のバネ部３０が対応する部分を空洞の形状としてもよい。これにより、バネ部３０の回動範囲が広くなり、小物を取り付け易くなる。
【００３５】
ナスカンの本体部１、取付け部２、台部１０、フック部２０、バネ部３０は、いずれも金属により構成されてもよく、合成樹脂やその他の剛性材により構成してもよく、それらの素材を組み合わせて構成してもよい。合成樹脂により構成した場合は、金属により構成した場合と比較して軽量化に有利となる。金属で構成する場合は、表面にめっきなどを施して耐食性を高めることで長期使用に有利となる。
【産業上の利用可能性】
【００３６】
本考案に係るナスカンは、背負い式、手提げ式、及び肩掛け式のカバンなどの小物の取付け具として広く利用することができる。
【符号の説明】
【００３７】
１                    本体部
２                    取付け部
３（３ａ，３ｂ）      凹部
１０                  台部
１１（１１ａ，１１ｂ）支持孔
１２                  台部の凸部
２０                  フック部
２１                  フック部の凸部
３０                  バネ部
１００                ナスカン
【図１】
0003223965.tif 000003
【図２】
0003223965.tif 000004